(57)【要約】【課題】渓流釣りなど魚釣りに用いる釣り餌としてイクラなどが用いられるが、イクラは数十グラムや１００グラムをひとかたまりにして携帯用の器に入れて用いていた。このため、釣り針につけるときにつけにくく、タイミング良く餌を釣り場に投入することができず、また、手の汚れがひどく、冷たい水で洗う苦労など、多くの問題があった。【解決手段】平板状のケース本体に、１回分の餌に必要な量の例えば１粒のイクラが入る窪みを複数個設け、シールなどの蓋を設けることにより、イクラなどの餌の保存性を高め、さらに、窪みの周囲に釣り針のガイドとなる溝を形成し、使用するときにシールを剥がした１つの窪みに入っているイクラを素早く釣り針につけることができる、使い勝手の良い、小型で安価な釣り餌収納具を提供した。【選択図】  図９
2004305018.tif 000002
【特許請求の範囲】
【請求項１】
釣り針に刺して魚釣りに用いる釣り餌を収納することができる釣り餌収納具であって、前記釣り餌収納具は、ケース本体の一部に釣り餌を納めることができる窪みを複数カ所有しており、前記窪みの構造と寸法は、１つの窪みに釣り針につける餌の１回分の分量を入れるのに適した構造と寸法であり、前記窪みの上部すなわち前記窪みの開口部がある方の面に面して、前記ケース本体に形成されている少なくとも一部の前記窪みの開口部を全面的に覆うことができる蓋を少なくとも１つ設けたことを特徴とする釣り餌収納具。
【請求項２】
請求項１に記載の釣り餌収納具において、各前記窪みの構造と寸法は、粒状の餌を一粒入れるのに適した構造と寸法であることを特徴とする釣り餌収納具。
【請求項３】
請求項１または２に記載の釣り餌収納具において、各前記窪みの構造と寸法は、１つの窪みに釣り針につける餌としての虫を一匹入れるのに適した構造と寸法であることを特徴とする釣り餌収納具。
【請求項４】
請求項１〜３のいずれか１項に記載の釣り餌収納具において、各前記窪みの外周部に、前記開口部から窪みの底の方向に向けて、釣り針の、少なくとも、針先から餌に差し込まれる部分までの針軸が通過可能なような寸法で設けられた溝が少なくとも１つ設けられていることを特徴とする釣り餌収納具。
【請求項５】
請求項４に記載の釣り餌収納具において、前記溝の長さ方向に交差する方向の断面形状が、ケース本体の表面方向の開口部が最も広く、溝の底部に向けて次第に狭くなっている形状であることを特徴とする釣り餌収納具。
【請求項６】
請求項４または５に記載の釣り餌収納具において、前記溝の長さ方向に交差する方向の断面の輪郭形状が、円形の一部、三角形、四角形、多角形の１種類またはそれらの複数種類の組み合わせで構成される形状であることを特徴とする釣り餌収納具。
【請求項７】
請求項４〜６のいずれか１項に記載の釣り餌収納具において、前記溝の長さ方向に交差する方向の断面の輪郭形状が、Ｖ字型、Ｕ字型、円弧型、底部に平坦部あるいはＲ部と定義する丸みを帯びた形状の部分があるＶ字型あるいはＵ字型あるいは円弧型を有する形状であることを特徴とする釣り餌収納具。
【請求項８】
請求項４〜７のいずれか１項に記載の釣り餌収納具において、少なくとも１つの前記溝は、その開口部の該溝の長さ方向に交差する方向の溝幅寸法が０．２ｍｍ以上であることを特徴とする釣り餌収納具。
【請求項９】
請求項４〜８のいずれか１項に記載の釣り餌収納具において、少なくとも１つの前記溝は、当該窪みの前記開口部を覆う平面内の一点から当該溝の最深部におろした垂線の長さを当該窪みの深さと定義して、当該窪みの前記開口部から当該溝の最深部まで窪みの深さの測定と同様の方法で測った深さを溝の深さと定義して、溝の深さが当該窪みの深さの３分の１（１／３）以上の深さであることを特徴とする釣り餌収納具。
【請求項１０】
請求項４〜９のいずれか１項に記載の釣り餌収納具において、前記溝の深さが当該窪みの深さよりも１ｍｍ以内の値だけ深い深さであることを特徴とする釣り餌収納具。
【請求項１１】
請求項４〜１０のいずれか１項に記載の釣り餌収納具において、ケース本体に設けられている前記窪みの少なくとも一部の隣り合った窪みが前記溝を介してつながっていることを特徴とする釣り餌収納具。
【請求項１２】
請求項４〜１１のいずれか１項に記載の釣り餌収納具において、前記溝に沿って測った長さ寸法を溝の長さと定義して、前記溝の長さが１ｍｍ以上であることを特徴とする釣り餌収納具。
【請求項１３】
請求項４〜１２のいずれか１項に記載の釣り餌収納具において、前記溝の長さが当該窪みの外側において１ｍｍ以上あることを特徴とする釣り餌収納具。
【請求項１４】
請求項４〜１３のいずれか１項に記載の釣り餌収納具において、少なくとも一部の前記溝が、その形成部において、そしてケース本体の肉部において、当該溝と前記ケース本体の該溝が形成されている周辺の表面とのなす角度が当該窪みと前記ケース本体の一部の表面とのなす角度よりも大きい状態に、すなわち当該溝の方が当該窪みよりも緩やかな傾斜になるように形成されていることを特徴とする釣り餌収納具。
【請求項１５】
請求項４〜１４のいずれか１項に記載の釣り餌収納具において、前記溝が２カ所以上設けられていることを特徴とする釣り餌収納具。
【請求項１６】
請求項１５に記載の釣り餌収納具において、前記溝が、当該窪みの上方から見て放射状に設けられていることを特徴とする釣り餌収納具。
【請求項１７】
請求項４〜１６のいずれか１項に記載の釣り餌収納具において、前記ケース本体のコーナー部に設けられている窪みに、前記ケース本体の上方から見て前記ケース本体の縦方向と横方向の間の方向すなわち斜め方向でかつ前記ケース本体のコーナー方向から前記窪みの中心方向に向かう前記溝が少なくとも１つ設けられていることを特徴とする釣り餌収納具。
【請求項１８】
請求項１〜１７のいずれか１項に記載の釣り餌収納具において、前記窪みの深さ方向の断面の輪郭形状が、当該ケース本体上方から当該窪みの底部の方向に当該底部を含めて切った断面において、円形の一部、三角形、四角形の一部、五角形以上の多角形の一部の１種類または２種類以上の形状を組み合わせた形状であることを特徴とする釣り餌収納具。
【請求項１９】
請求項１８に記載の釣り餌収納具において、前記窪みの深さ方向の断面の輪郭形状が、その底部近傍において、平坦部もしくはＲ部を有する形状であることを特徴とする釣り餌収納具。
【請求項２０】
請求項１〜１９のいずれか１項に記載の釣り餌収納具において、前記窪みが設けられている前記ケース本体の表面の形状が、前記窪みの開口部を除いて平面状であることを特徴とする釣り餌収納具。
【請求項２１】
請求項１〜２０のいずれか１項に記載の釣り餌収納具において、前記窪みが前記ケース本体の少なくとも一部に縦方向あるいは横方向あるいは斜め方向の少なくとも一つの方向に所定間隔で配列されていることを特徴とする釣り餌収納具。
【請求項２２】
請求項１〜２０のいずれか１項に記載の釣り餌収納具において、少なくとも一部の前記窪みは、隣り合った窪み同士の境界が不連続に形成されていることを特徴とする釣り餌収納具。
【請求項２３】
請求項１〜２２のいずれか１項に記載の釣り餌収納具において、少なくとも１つの前記蓋が、以下においてシールと定義するシート状で前記ケース本体の一部に貼り付けることができるシールであることを特徴とする釣り餌収納具。
【請求項２４】
請求項２３に記載の釣り餌収納具において、前記シールと前記ケース本体の一部の構造が、前記シールを前記ケース本体の一部に、少なくとも２回繰り返して着脱可能に貼り付けることができるようなシールと構造であることを特徴とする釣り餌収納具。
【請求項２５】
請求項２３または２４に記載の釣り餌収納具において、前記シールは、前記窪みが設けられている前記ケース本体の一部に設けられている前記シールを剥がすのに用いることができる手がかり部分を除いて、前記ケース本体の一部全面に貼り付けられていることを特徴とする釣り餌収納具。
【請求項２６】
請求項２３または２４に記載の釣り餌収納具において、前記シールは、前記窪みが設けられている前記ケース本体の全面に貼り付けられていることを特徴とする釣り餌収納具。
【請求項２７】
請求項２３〜２６のいずれか１項に記載の釣り餌収納具において、前記シールが少なくとも水に対する密閉性を有するシールであることを特徴とする釣り餌収納具。
【請求項２８】
請求項２３〜２７のいずれか１項に記載の釣り餌収納具において、前記シールが通気性のシールであることを特徴とする釣り餌収納具。
【請求項２９】
請求項２３〜２６のいずれか１項に記載の釣り餌収納具において、前記シールに、収納されている虫の呼吸に役立つ空気が通る穴が開けられていることを特徴とする釣り餌収納具。
【請求項３０】
請求項１〜２８のいずれか１項に記載の釣り餌収納具において、前記釣り餌収納具の前記ケース本体と蓋の少なくとも一方の少なくとも一方向に、前記ケース本体を、または前記シールを、または前記ケース本体と前記シールをともに、それぞれ他の部分から切り離すことができるミシン目をつけたことを特徴とする釣り餌収納具。
【請求項３１】
請求項３０に記載の釣り餌収納具において、前記ミシン目が前記釣り餌収納具の縦方向あるいは横方向の少なくとも一方につけられていることを特徴とする釣り餌収納具。
【請求項３２】
請求項３１に記載の釣り餌収納具において、前記ミシン目が、前記釣り餌収納具の縦方向あるいは横方向の一列毎あるいは複数列毎に前記シールと前記ケース本体の部分のいずれかあるいは双方を切り離すことができるようにつけられていることを特徴とする釣り餌収納具。
【請求項３３】
請求項１〜３２のいずれか１項に記載の釣り餌収納具において、少なくとも一部の前記窪みの内部に、釣り餌の乾燥を調整することができる保湿材を配置したことを特徴とする釣り餌収納具。
【請求項３４】
請求項１〜３３のいずれか１項に記載の釣り餌収納具において、少なくとも一部の前記窪みの内部に保温材を配置したことを特徴とする釣り餌収納具。
【請求項３５】
請求項１〜３４の請求項３を除くいずれか１項に記載の釣り餌収納具において、前記釣り餌収納具に収納する餌がイクラであることを特徴とする釣り餌収納具。
【請求項３６】
請求項１〜３４の請求項２を除くいずれか１項に記載の釣り餌収納具において、前記釣り餌収納具が、そこに収納する餌としてブドウ虫などの虫を収納することができる収納具であることを特徴とする釣り餌収納具。
【請求項３７】
請求項１〜３６のいずれか１項に記載の釣り餌収納具において、前記ケース本体が開閉可能な蓋を有するか、開閉可能な蓋を有する容器に収納されていることを特徴とする釣り餌収納具。
【請求項３８】
請求項１〜３７のいずれか１項に記載の釣り餌収納具において、少なくとも１つの前記蓋が窓を有しており、前記窓はその設けられている蓋の当該窓以外の部分とは独立に開閉することができるように構成されていることを特徴とする釣り餌収納具。
【請求項３９】
請求項１〜３８のいずれか１項に記載の釣り餌収納具において、前記開閉可能な蓋もしくは窓が、１個または複数個の前記窪みを密閉することができかつ開閉可能に設けられていることを特徴とする釣り餌収納具。
【請求項４０】
請求項３８または３９に記載の釣り餌収納具において、少なくとも１つの前記蓋または窓は、その閉じている状態で当該ケース本体に設けられた縦または横方向の１列分の前記窪みを覆うことができ、かつ、開閉可能に設けられていることを特徴とする釣り餌収納具。
【請求項４１】
請求項３８〜４０のいずれか１項に記載の釣り餌収納具において、少なくとも１つの前記蓋または窓は、当該ケース本体に設けられた一個の前記窪みを覆うことができ、かつ、開閉可能に設けられていることを特徴とする釣り餌収納具。
【請求項４２】
請求項１〜４１のいずれか１項に記載の釣り餌収納具において、前記ケース本体の外形形状が円柱状または多角柱状またはそのいずれかの一部を切り取った形状であることを特徴とする釣り餌収納具。
【請求項４３】
請求項１〜４２のいずれか１項に記載の釣り餌収納具において、前記釣り餌収納具は、前記ケース本体の中心付近を通る仮想の軸を回転中心にして回転させることができる蓋を有していることを特徴とする釣り餌収納具。
【請求項４４】
請求項１〜４３のいずれか１項に記載の釣り餌収納具において、前記釣り餌収納具は、前記ケース本体の必要部分を前記蓋から露出させることができるように、前記ケース本体と前記蓋の相対的位置関係を変えることができるように構成されていることを特徴とする釣り餌収納具。
【請求項４５】
請求項１〜４４のいずれか１項に記載の釣り餌収納具において、前記釣り餌収納具が、前記蓋から露出させた前記ケース本体を、前記ケース本体の前記蓋から露出されていない部分から切り離すことができるように構成されていることを特徴とする釣り餌収納具。
【請求項４６】
請求項１〜４５のいずれか１項に記載の釣り餌収納具において、前記ケース本体と蓋のいずれか一方または双方が、透明あるいは半透明であることを特徴とする釣り餌収納具。
【請求項４７】
請求項１〜４６のいずれか１項に記載の釣り餌収納具において、前記ケース本体の材質が、シリコーンゴム、プラスチック、ポリエチレン、ポリプロピレン、ナイロン、アクリル、ＡＢＳ樹脂、ＰＥＴ樹脂、発泡スチロール、紙のいずれかであることを特徴とする釣り餌収納具。
【請求項４８】
請求項１〜４７のいずれか１項に記載の釣り餌収納具において、前記窪みが、板状のケース本体材料から前記窪みの部分を前記窪みの開口部から窪みの底部の方向へ突き出させた形状であることを特徴とする釣り餌収納具。
【請求項４９】
請求項１〜４８のいずれか１項に記載の釣り餌収納具において、前記ケース本体に形成されている窪みが一体成形により形成された窪みであることを特徴とする釣り餌収納具。
【発明の詳細な説明】
【０００１】
【発明の属する技術分野】
本発明は釣り針に刺して魚釣りに用いる釣り餌を収納する釣り餌収納具ならびにその収納具に収納した形態の餌に関する。
【０００２】
【従来の技術】
渓流釣りや海釣りなどの魚釣りにおいては、イクラ、ブドウ虫、川虫等の釣り餌を収納しておく、収納具が必要である。
【０００３】
従来、渓流釣りでの餌釣りでは、イクラ、ブドウ虫、川虫、キジ、などが主に餌として使われているが、価格、入手方法などを考慮すると、イクラ、ブドウ虫はほかの餌に比べて安価で入手しやすく、釣行後、残ったイクラは冷凍保存が可能であり、またブドウ虫は冷蔵保存が可能であり、長期保存が可能で、その使用価値が高く、代表的な釣り餌としてよく用いられている。
【０００４】
それでも、これらの釣り餌は、取り扱いに手間がかかるとともに取り扱いにくいなど、いくつかの問題があった。
【０００５】
たとえば、釣り餌用のイクラはパックや箱などの器にひとかたまり状態で入ったものを購入するか、あるいは適当な量のイクラを自分で箱などの器にまとめて入れて釣り餌として釣りに携行していた。そして、釣り場で釣り針に刺す場合には、その容器から一粒か二粒摘み出し釣り針に刺して使用する。器に入っているイクラは、イクラ同士がくっつきあっているため、必要な数を指先で取り出しにくく、指先にくっ付いて必要以上の数を取り出して落としてしまったり、容器内のイクラを指先で潰してしまうことも多く、イクラを指先で摘めても、それを釣り針を刺すときにイクラが滑らないようにしようとすると、指先に必要以上の力が入ってしまいイクラを潰してしまうことが多く、結果として餌のコストが高くなってしまっていた。
【０００６】
また、イクラの外周部の卵油により、イクラが指先にくっついて離れにくく、釣り針でイクラを切り裂いてしまうことも頻繁であった。特に、魚影を発見したときには、迅速に餌を釣り針に取り付けなければならない。このような場合には上述のような失敗がさらに多くなり、釣り餌が釣り針に上手く付けられないことが多かった。
【０００７】
また、ブドウ虫は、従来ダンボールの波形状の隙間に収納した状態で容器に入っているのが一般的であるが、ブドウ虫が糸を吐き出し、巣を作るため、取り出そうとする際に、ブドウ虫の巣によりダンボールが固くなっていて、ダンボールを容易に切り開くことができず、無理に開こうとした際に、ブドウ虫に傷を付けたり、潰してしまうことがあった。
【０００８】
魚釣りにおいて、その釣果の良い時間帯は、薄暗い明け方と夕まずめであることは周知のとおりであり、そのような薄暗い状況下では、十分な照明を得ることは難しく、物音もたてず、餌を釣り針に手返しよく刺すのは熟練者であっても困難であった。
【０００９】
春先の渓流釣りにおいては、イクラやキジなどの卵油や粘膜のある餌を使用すると、釣り針に刺した後、指先が汚れるため、手を川水で洗ったり、湿った布で拭いたりするが、濡れた手でイクラに触れると、イクラは水に触れると外膜より水分が卵の中に浸透し、中身がブヨブヨになるため、釣り針を刺した際に中身が外部に流れ出してしまい、釣り餌として使用出来なくなる。また、イクラの外周部に付着している卵油は、指先が生臭くなるばかりか、乾燥して白い幕状になり、爪や皺の間にこびり付き容易には取り去ることが出来なくなってしまう。そして、このような汚れを洗浄しようとしても、雪解け水の水温は低く、指先がかじかみ、かなり辛いものがあった。
【００１０】
また、ブドウ虫においても、冷たい水が餌箱の中にしみ込むとブドウ虫が急激に体温を下げ、死滅してしまう。
【００１１】
このため、かねてより釣り餌を個別に分離して収納することが出来、かつ、釣り餌に直接触れることなく、釣り針に釣り餌をつけることができる釣り餌収納具の実現が強く望まれていた。
【００１２】
図２０〜図２２は、従来用いられている一般的な釣り餌収納具の例を説明する図である。
【００１３】
図２０は従来のイクラの収納具を説明するための斜視図である。図２０において、符号１００はイクラを収納するための容器、１０１はイクラである。図２０で、イクラ１０１は、多数粒のイクラがひとかたまりになって同一の容器１００に収納されている。
【００１４】
図２０に示すような器に釣り餌としてのイクラを収納して釣りに携行するが、イクラを釣り針につける場合は、多くの場合、指でイクラをつまんで１粒を針先に刺して取り付ける。しかし、容器１００に入れられているイクラは、イクラ１０１同士がくっついてしまっているため、釣りに行って餌としてのイクラを針に取り付ける際に、容器１００からイクラ１０１を一粒だけ取り出すことは難しく、一粒だけを早く取り出そうとして指に力が入ってしまい、イクラ１０１を指でつぶしてしまうことも多い。また、冷凍したイクラの場合は、冷凍しておいたイクラを冷凍庫から出して、そのままもって釣りに出かけることが多く、イクラ同士がくっついて冷凍されるため、使用時点での解凍の不均一さがあると、上の部分の解凍状態のイクラを指で取り出すとき、下の部分の未解凍の硬いイクラに押しつけて取り出すことになり、イクラ１０１をつぶしてしまうことがさらに多くなる。
【００１５】
図２１は従来のブドウ虫を収容するための収納具を説明する斜視図で、図２２は図２１のブドウ虫の巣穴の一部を拡大して示した図である。
【００１６】
図２１および図２２において、符号１１０は従来のブドウ虫の収納具、１１１は収納具１１０を構成する容器、１１２は収納具１１０を構成する容器１１１の蓋部、１１３は容器１１１と蓋部１１２をつなぐブリッジ、１１４は蓋部１１２に設けられた通気孔、１１６，１１６ａ，１１６ｂ，１１６ｃ，１１６ｄはブドウ虫が巣を作るための巣穴で、以下において、１１６，１１６ａ，１１６ｂ，１１６ｃ，１１６ｄのそれぞれを、またはそれらを総称して巣穴１１６と称することもある。符号１１７は巣を形成するための巣枠体、１１５は容器本体の内側の底面１１８と巣枠体１１７との間を保つためのスペーサー、１１９は巣枠体１１７と底面１１８との段差、１２１および１２６は巣枠体１１７を構成する屈曲材、１２２および１２３および１２７は巣枠体１１７を構成する被覆材、１３０はブドウ虫を入れる空間である。
【００１７】
図２１で、収納具１１０は、容器１１１および蓋部１１２および容器本体の内部に形成された巣穴１１６を有する巣枠体１１７で構成されており、容器１１１および蓋部１１２はブリッジ１１３によって連結されている。また、蓋部１１２には通気孔１１４が設けられている。
【００１８】
図２２で、巣枠体１１７は被覆材１２２，１２３および１２７と屈曲材１２１および１２６によって構成されており、たとえば被覆材１２７と被覆材１２３および屈曲材１２６によって囲まれることによって巣穴１１６が構成されている。また、スペーサー１１５によって巣枠体１１７と底面１１８との間に段差１１９が構成されている。
【００１９】
図２１および図２２を用いて説明したような収納具にブドウ虫を収納する場合は、たとえば、図２１の容器１１１の内側の空間１３０にブドウ虫を入れると、ブドウ虫は各巣穴１１６ａ，１１６ｂ，１１６ｃ，１１６ｄのそれぞれにもぐりこんでそこに巣を形成する。各巣穴には一匹のブドウ虫が入る場合が多いが、時には複数匹のブドウ虫が入って巣を形成している場合もある。各巣穴に何匹のブドウ虫が入っているかは実際には巣を開けてみないとわからないのが実状である。
【００２０】
図２１および図２２を用いて説明したような収納具にブドウ虫を収納した場合、通気孔１１４や段差１１９によって、収納具１１０の巣穴１１６が完全に密閉されないため、ブドウ虫は死ぬことなく長期間保存することが可能となるが、その際に、ブドウ虫が巣穴１１６に巣を作るため、被覆材および屈曲材にも巣がくっつき、結果として巣枠体全体が固くなってしまう。このため、上述のとおり、ブドウ虫を取り出すことが困難になり、ブドウ虫を取り出そうとしてブドウ虫をつぶしてしまうことが多くなってしまう。
【００２１】
【発明が解決しようとする課題】
以上説明したように、従来の釣り餌を収納する容器では、餌を容易に取り出すことが出来なかったり、釣り餌を容器から取り出すときから釣り針につけ終わるまで餌を直接手で触って取り扱わなければならず、釣り針に餌を取り付ける手間が大変で、長時間かかる上に、餌の品質を低下させたり、餌を潰してしまったりするなどの大変厄介な問題があった。
【００２２】
そのため、従来から、釣り餌を良品質に保つことができ、さらに、容易かつコンパクトに収納でき、使用時、釣り餌を容易に取り出すことの出来る釣り餌収納具の実現が強く望まれていた。
【００２３】
本発明は、このような点に鑑みて成されたものであり、本発明の目的は、使用時に、釣り餌を容易に取り出すことの出来るばかりではなく、必要以上に釣り餌に触れることなく、釣り針に釣り餌を容易に刺すことの出来る釣り餌収納具を提供するものである。
【００２４】
【課題を解決するための手段】
本発明の目的の達成を図るため、本発明の釣り針に刺して魚釣りに用いる釣り餌を収納することができる釣り餌収納具は、釣り針に刺して魚釣りに用いる釣り餌を収納することができる釣り餌収納具であって、前記釣り餌収納具は、ケース本体の一部に釣り餌を納めることができる窪みを複数カ所有しており、前記窪みの構造と寸法は、１つの窪みに釣り針につける餌の１回分の分量を入れるのに適した構造と寸法であり、前記窪みの上部すなわち前記窪みの開口部がある方の面に面して、前記ケース本体に形成されている少なくとも一部の前記窪みの開口部を全面的に覆うことができる蓋を少なくとも１つ設けたことを特徴としている。
【００２５】
本発明の釣り餌収納具の例は、各前記窪みの構造と寸法が、粒状の餌を一粒入れるのに適した構造と寸法であることを特徴としている。
【００２６】
また、本発明の釣り餌収納具の例は、各前記窪みの構造と寸法が、１つの窪みに釣り針につける餌としての虫を一匹入れるのに適した構造と寸法であることを特徴としている。
【００２７】
本発明の釣り餌収納具の例は、各前記窪みの外周部に、前記開口部から窪みの底の方向に向けて、釣り針の、少なくとも、針先から餌に差し込まれる部分までの針軸が通過可能なような寸法で設けられた溝が少なくとも１つ設けられていることを特徴としている。
【００２８】
本発明の釣り餌収納具の例は、前記溝の長さ方向に交差する方向の断面形状が、ケース本体の表面方向の開口部が最も広く、溝の底部に向けて次第に狭くなっている形状であることを特徴としている。この特徴により、釣り針に前記窪みの中に入れた餌を取り付ける場合、釣り針の先端部と先端部から適当な長さの部分を前記溝に入れて釣り針の先端部を餌の方向へ進めると、釣り針の先端部近傍はこの溝がガイドの役割をして極めて正確にそして素早く餌に到達し、釣り針の先端を餌に正確にそして簡単に刺すことができ、指先をほとんど汚すことなく餌を釣り針に取り付けることができる。
【００２９】
本発明の釣り餌収納具の例は、前記溝の長さ方向に交差する方向の断面の輪郭形状が、円形の一部、三角形、四角形、多角形の１種類またはそれらの複数種類の組み合わせで構成される形状であることを特徴としている。
【００３０】
本発明の釣り餌収納具の例は、前記溝の長さ方向に交差する方向の断面の輪郭形状が、Ｖ字型、Ｕ字型、円弧型、底部に平坦部あるいはＲ部と定義する丸みを帯びた形状の部分があるＶ字型あるいはＵ字型あるいは円弧型を有する形状であることを特徴としている。
【００３１】
このような特徴により、本発明の釣り餌収納具の例は、釣り針のガイド性が良く、製造歩留まりの高い、コストの安い釣り餌収納具を実現できる。
【００３２】
本発明の釣り餌収納具の例は、少なくとも１つの前記溝は、その開口部の該溝の長さ方向に交差する方向の溝幅寸法が０．２ｍｍ以上であることを特徴としている。
【００３３】
本発明の釣り餌収納具の例は、少なくとも１つの前記溝は、当該窪みの前記開口部を覆う平面内の一点から当該溝の最深部におろした垂線の長さを当該窪みの深さと定義して、当該窪みの前記開口部から当該溝の最深部まで窪みの深さの測定と同様の方法で測った深さを溝の深さと定義して、溝の深さが当該窪みの深さの３分の１以上の深さであることを特徴としている。このような溝の効果により、前記ケース本体に前記窪みが３列以上配置されている場合にも、各窪みに収納されている餌に釣り針の針先から餌に入る部分までの軸部を正確に導き、釣り針を餌に容易に確実に刺すことができる。
【００３４】
本発明の釣り餌収納具の例は、前記溝の深さが当該窪みの深さよりも１ｍｍ以内の値だけ深い深さであることを特徴としている。また、本発明の釣り餌収納具の例は、ケース本体に設けられている前記窪みの少なくとも一部の隣り合った前記窪みが前記溝でつながっていることを特徴としている。本発明の例におけるこのような溝と窪みの深さの関係は、溝によって互いに接続されている窪みに、例えばイクラを収納した場合、イクラの卵油がこの溝を伝わって、各窪み間を行き来することができ、卵油の多いイクラの卵油が卵油の少ないイクラにまわって、イクラの乾燥を防ぐ効果を発揮し、イクラが窪みの壁にくっついてしまったり、イクラが乾燥してしまうことがなく、常に餌としての良好な状態に保つことができる。また、この溝の効果は、この釣り餌収納具に、餌として、川虫などの虫を収納する場合にも、収納されている虫を良好な状態に保つ効果を発揮することができる。もちろん、溝によって互いに接続されている窪みに限らず、各窪みが独立になっている窪みの場合や、２個や３個といった少数の窪みが溝によって接続されている場合にも、餌の状態を良好に保つ効果を発揮することができる。
【００３５】
本発明の釣り餌収納具の例は、前記溝に沿って測った長さ寸法を溝の長さと定義して、前記溝の長さが１ｍｍ以上であることを特徴としている。
【００３６】
本発明の釣り餌収納具の例は、前記溝の長さが当該窪みの外側において１ｍｍ以上あることを特徴としている。
【００３７】
本発明の釣り餌収納具の例は、少なくとも一部の前記溝が、その形成部において、そしてケース本体の肉部において、当該溝と前記ケース本体の該溝が形成されている周辺の表面とのなす角度が当該窪みと前記ケース本体の一部の表面とのなす角度よりも大きい状態に、すなわち当該溝の方が当該窪みよりも緩やかな傾斜になるように形成されていることを特徴としている。これにより、釣り餌に釣り針を刺す場合に、釣り針を扱いやすいなどの利点がある。
【００３８】
本発明の釣り餌収納具の例は、前記溝が２カ所以上設けられていることを特徴としている。
【００３９】
本発明の釣り餌収納具の例は、前記溝が、当該窪みの垂直上方から見て放射状に設けられていることを特徴としている。
【００４０】
本発明の釣り餌収納具の例は、前記ケース本体のコーナー部に設けられている窪みに、前記ケース本体の上方から見て前記ケース本体の縦方向と横方向の間の方向すなわち斜め方向でかつ前記ケース本体のコーナー方向から前記窪みの中心方向に向かう前記溝が少なくとも１つ設けられていることを特徴としている。これにより、ケース本体のコーナー部の方から順次餌を使用していけば、どの餌も釣り針に容易に取り付けることができる。
【００４１】
本発明の釣り餌収納具の例は、前記窪みの深さ方向の断面の輪郭形状が、当該ケース本体上方から当該窪みの底部の方向に当該底部を含めて切った断面において、円形の一部、三角形、四角形の一部、五角形以上の多角形の一部の１種類または２種類以上の形状を組み合わせた形状であることを特徴としている。円形の場合はイクラのような丸い餌に好適で、三角形の場合は高密度に配置することができ、四角形、多角形の場合は、餌の状態によって釣り針に餌を取り付けるときの餌の押さえが良くなるなどの特徴がある。
【００４２】
本発明の釣り餌収納具の例は、前記窪みの深さ方向の断面の輪郭形状が、その底部近傍において、平坦部もしくはＲ部を有する形状であることを特徴としている。
【００４３】
本発明の釣り餌収納具の例は、前記窪みが設けられている前記ケース本体の表面の形状が、前記窪みの開口部を除いて平面状であることを特徴としている。
【００４４】
本発明の釣り餌収納具の例は、前記窪みが前記ケース本体の一部に縦方向あるいは横方向あるいは斜め方向の少なくとも一つの方向に所定間隔で配列されていることを特徴としている。これにより、取扱い易く、安価で、小型の釣り餌収納具を実現することができる。
【００４５】
本発明の釣り餌収納具の例は、前記窪みの少なくとも一部の窪みは、隣り合った窪み同士の境界が不連続に形成されていることを特徴としている。これは、後述のシールの密閉性を確保するのに好ましい。
【００４６】
本発明の釣り餌収納具の例は、少なくとも１つの前記蓋が、以下においてシールと定義するシート状で前記ケース本体の一部に貼り付けることができるシールであることを特徴としている。
【００４７】
本発明の釣り餌収納具の例は、前記シールと前記ケース本体の一部の構造が、前記シールを前記ケース本体の一部に、少なくとも２回繰り返して着脱可能に貼り付けることができるようなシールと構造であることを特徴としている。
【００４８】
本発明の釣り餌収納具の例は、前記シールが、前記窪みが設けられている前記ケース本体の一部に設けられている前記シールを剥がすのに用いることができる手がかり部分を除いて、前記ケース本体の一部全面に貼り付けられていることを特徴としている。シールを繰り返し着脱して使うときに、収納具を良好な状態で維持することができる。
【００４９】
本発明の釣り餌収納具の例は、前記シールは、前記窪みが設けられている前記ケース本体の全面に貼り付けられていることを特徴としている。釣り餌収納具の密閉性を高めるのに好適である。
【００５０】
本発明の釣り餌収納具の例は、前記シールが少なくとも水に対する密閉性を有するシールであることを特徴としている。これは、特にイクラのような餌の品質保持に好適である。
【００５１】
本発明の釣り餌収納具の例は、前記シールが通気性のシールであることを特徴としている。本発明の釣り餌収納具の例は、前記シールに、収納されている虫の呼吸に役立つ空気が通る穴が開けられていることを特徴としている。シールを通気性にすることにより、生き餌を収納するのに好適な収納具を得ることができる。
【００５２】
本発明の釣り餌収納具の例は、前記釣り餌収納具の前記ケース本体と蓋の少なくとも一方の少なくとも一方向に、前記ケース本体を、または前記シールを、または前記ケース本体と前記シールをともに、それぞれ他の部分から切り離すことができるミシン目をつけたことを特徴としている。
【００５３】
本発明の釣り餌収納具の例は、前記ミシン目が前記釣り餌収納具の縦方向あるいは横方向の少なくとも一方につけられていることを特徴としている。
【００５４】
本発明の釣り餌収納具の例は、前記ミシン目が、前記釣り餌収納具の縦方向あるいは横方向の一列毎あるいは複数列毎に前記シールと前記ケース本体の部分のいずれかあるいは双方を切り離すことができるようにつけられていることを特徴とする釣り餌収納具。
【００５５】
このようなミシン目の利用により、本発明の釣り餌収納具は、使用中に、必要最小限の餌を消費するようにすることができ、また、収納具を必要に応じて適宜切り離し、使い勝手の向上や、無駄を省くなど、多くの改善をすることができる。
【００５６】
本発明の釣り餌収納具の例は、必要に応じて、少なくとも一部の前記窪みの内部に、釣り餌の乾燥を調整することができる保湿材を配置できるようにしたことを特徴としている。これにより、餌の種類によって、その保存状態を良くすることができる。
【００５７】
本発明の釣り餌収納具の例は、少なくとも一部の前記窪みの内部に保温材を配置したことを特徴としている。たとえば、餌が虫の場合、前記保湿剤の効果に加えて、保温剤の効果が餌の良好な状態をさらに高めることができる。
【００５８】
本発明の釣り餌収納具の例は、前記釣り餌収納具に収納する餌がイクラであることを特徴としており、特に大きな効果を奏することができるものである。
【００５９】
本発明の釣り餌収納具の例は、蓋、シールに穴を設けるなどの工夫によって、前記釣り餌収納具に収納する餌をブドウ虫などの虫にすることができる。
【００６０】
本発明の釣り餌収納具の例は、前記ケース本体が開閉可能な蓋を有するかあるいはそのような容器に収納されていることを特徴としている。
【００６１】
本発明の釣り餌収納具の例は、少なくとも１つの前記蓋が窓を有しており、前記窓はその設けられている蓋の当該窓以外の部分とは独立に開閉することができるように構成されていることを特徴としている。
【００６２】
本発明の釣り餌収納具の例は、前記開閉可能な蓋もしくは窓が、１個または複数個の前記窪みを密閉することができかつ開閉可能に設けられていることを特徴としている。
【００６３】
本発明の釣り餌収納具の例は、少なくとも１つの前記蓋または窓は、その閉じている状態で当該ケース本体に設けられた縦または横方向の１列分の前記窪みを覆うことができ、かつ、開閉可能に設けられていることを特徴としている。
【００６４】
本発明の釣り餌収納具の例は、少なくとも１つの前記蓋または窓は、当該ケース本体に設けられた一個の前記窪みを覆うことができ、かつ、開閉可能に設けられていることを特徴としている。
【００６５】
本発明の前記窓あるいは蓋の構造は、餌を必要な分だけ正確に、簡単に取り出すことができ、取扱易さ、小型化、信頼性などの点において本発明の効果を一層高めるものである。
【００６６】
本発明の釣り餌収納具の例は、前記ケース本体の外形形状が円柱状または多角柱状またはそのいずれかの一部を切り取った形状であることを特徴としている。
【００６７】
本発明の釣り餌収納具の例は、前記釣り餌収納具は、前記ケース本体の中心付近を通ると想定した仮想の軸を回転中心にして回転させることができる蓋を有していることを特徴としている。
【００６８】
本発明の釣り餌収納具の例は、前記釣り餌収納具は、前記ケース本体の必要部分を前記蓋から露出させることができるように、前記ケース本体と前記蓋の相対的位置関係を変えることができるように構成されていることを特徴としている。
【００６９】
本発明の釣り餌収納具の例は、前記釣り餌収納具が、前記蓋から露出させた前記ケース本体を、前記ケース本体の前記蓋から露出されていない部分から切り離すことができるように構成されていることを特徴としている。
【００７０】
これらのケース本体及び蓋のいくつかの特徴部分を適宜組み合わせてもつことにより、例えば、１列ずつケース本体から餌が出るようにしたり、１つずつ餌が窓から取り出せるようにして１列分使用したらその部分のケース本体を蓋から突き出させて、ミシン目から切り取るようにすることができる。
【００７１】
本発明の釣り餌収納具の例は、前記ケース本体と蓋のいずれか一方または双方が、透明あるいは半透明であることを特徴としている。このようにすることによって、収納具の中の餌の状態を蓋を開けずに確認することもできる。
【００７２】
本発明の釣り餌収納具の例の材料として、シリコーンゴム、プラスチック、ポリエチレン、ポリプロピレン、ナイロン、アクリル、ＡＢＳ樹脂、ＰＥＴ樹脂、発泡スチロール、紙などを用いることができる。ＰＥＴ樹脂や発泡スチロールは成形が容易であるとともに、保温性に優れており、また、紙は保温、保湿に好都合であり、ブドウ虫のように湿気を嫌う餌の場合は、容器に入れるときにケース本体を乾燥状態にして使用し、川虫のように湿気を好む餌の場合には、容器に入れるときにケース本体を適度にぬらしておけば、虫に好都合である。
【００７３】
本発明の釣り餌収納具の例は、前記窪みが、板状のケース本体材料から前記窪みの部分を前記窪みの開口部から窪みの底部の方向へ突き出させた形状であることを特徴としている。
【００７４】
本発明の釣り餌収納具の例は、前記ケース本体に形成されている窪みが一体成形により形成された窪みであることを特徴としている。これにより、収納具の軽量化、製造コストの低減などを測ることができる。
【００７５】
【発明の実施の形態】
以下、図面を参照して本発明の実施の形態の例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成成分については同一の番号を付けて示し、重複する説明を省略することもある。なお、本発明の断面図においては、断面の小部分の区別に支障を来すおそれがあるため、断面図に用いる斜線表記を省略する。
【００７６】
図１〜図３は、本発明の実施の形態例の釣り餌収納具を説明するための図である。図１は本発明の実施の形態例としての釣り餌収納具の斜視図であり、図２は図１の釣り餌収納具を図１の矢印Ａの方向から見た平面図、図３は釣り餌収納具を図２の点線Ｘ１−Ｘ２の位置で切った断面図である。
【００７７】
図１〜図３において、符号１は本発明の釣り餌収納具、２は釣り餌収納具１を構成するケース本体としての平板状の基板、２ａはケース本体２の矢印Ａ側の面であり使用時に上側になる表面、２ｂはケース本体２の矢印Ａの側とは反対側の面であり、使用時に下側になる裏面である。符号３ａ，３ｂ，３ｃ，３ｄ，３ｅ，３ｆ，３ｇ，３ｈ，３ｉ，３ｊは表面２ａ側から２ｂ側へと突き出している入り口が円形である窪みで、符号３ａ，３ｂ，３ｃ，３ｄ，３ｅ，３ｆ，３ｇ，３ｈ，３ｉ，３ｊのそれぞれを、またはそれらを総称して窪み３とも称する。
【００７８】
図１および図２で、本発明の釣り餌収納具１には、ケース本体２に５行６列の行列状に規則正しく設けられた窪み３が形成されている。また、ケース本体２は、窪み３を形成してあるため完全な平板状ではないが、窪み３の部分を除いてケース本体２の表面全体としては穴のあいた平板状であると表現することにし、本発明の以下の説明ではこのようなケース本体も平板状のケース本体ということにする。
【００７９】
図３において、窪み３は表面２ａ側から裏面２ｂ側へと突き出しており、表面２ａ側から見ると窪みであるが、裏面２ｂ側から見ると突起状となっている。また、窪み３はある長さの円柱の先に半球を付けた形状の穴によって形成されている。
【００８０】
図１〜図３を用いて説明したような釣り餌収納具にたとえばイクラなどの釣り餌を収納する場合、１つの窪み３に１つのイクラを収納する。このように収納した場合、イクラ等の釣り餌を個別に収納できるため、従来のように、イクラ同士がくっつくことによって、釣り餌をつぶすことなく、釣り餌収納具から釣り餌を取り出すことが可能となる。
【００８１】
図４〜図６は本発明の実施の形態例としての釣り餌収納具を説明する図で、図１〜図３を用いて説明した本発明の釣り餌収納具に、粒状の餌としてのイクラを入れた状態を説明する図で、釣り餌を収納した後に、その開口部に貼り付けるシート状のシール（以下、単に、シートという）によるカバーをつけた例を説明する図である。また、図４は本発明の釣り餌収納具を図１のＡと同じ方向から見た図で、図中イクラは図示を省略して示してある。図５と図６は図４の点線Ｘ３−Ｘ４の位置で切った断面図で、図５はシートを貼り付けた状態の図、図６はシートを一部剥がした状態の図である。
【００８２】
図４〜図６において、符号１０は本発明の釣り餌収納具、１１は釣り餌収納具１０を構成するケース本体としての平板状の基板、１１ａはケース本体１１の矢印Ａ１側の面であり使用時に上側になる表面、１１ｂはケース本体１１の矢印Ａ１の側とは反対側の面であり、使用時に下側になる裏面である。符号１２ａ，１２ｂ，１２ｃ，１２ｄ，１２ｅは窪みで、符号１２ａ，１２ｂ，１２ｃ，１２ｄ，１２ｅのそれぞれを、またはそれらを総称して窪み１２とも称する。符号１３はケース本体１１の表面１１ａ側に貼り付けられた窪み１２の蓋としてのシート、１４ａ，１４ｂ，１４ｃはシート１３に設けられたミシン目で１４ａ，１４ｂ，１４ｃのそれぞれを、またはそれらを総称してミシン目１４と称することもある。符号１５ａ，１５ｂ，１５ｃは釣り餌としてのイクラであり、１５ａ，１５ｂ，１５ｃのそれぞれを、またはそれらを総称して釣り餌１５と称することもある。
【００８３】
図４で、窪み１２は全て等間隔に配置されており、外周部にある窪み以外は、内側の窪みに違いはほとんど無いように作られている。また、窪み１２はケース本体１１に対して垂直上方向から見た場合、その開口部が円形となるように形成されている。
【００８４】
シート１３は、餌の保存性を考慮して、ケース本体１１全体を覆うように形成されている。また、使用しやすいように、シート１３は、ケース本体１１から剥がすための部分だけをケース本体と接着しないようにケース本体１１に貼り付けるように構成することもできる。
【００８５】
ミシン目１４は、たとえば窪み１２ａと１２ｂなど窪み１２同士の間を通るように、シート１３の上からケース本体１１の裏側に至るまで、シート１３を付けた状態でケース本体１１をミシン目の位置で、釣り餌収納具１０から釣り餌収納具１０の一部を切り離すことができるようにつけられている。また、ミシン目はケース本体１１を貫通せずにシートにだけつけて、シートだけを一部分切り取るようにすることもできる。たとえばミシン目１４ａ、１４ｂと１４ｃなど縦と横の列に対応するミシン目は直交しており、ミシン目１４ａと１４ｂなど同じ向きのミシン目は平行となるように設けられている。
【００８６】
図５で、シート１３はケース本体の表面１１ａに、ケース本体１１と密着するように接着剤や溶着などで貼り付けられている。窪み１２は表面１１ａ側から裏面１１ｂ側へと突き出した形に、例えば樹脂の成形加工や、紙の成形加工などの方法で形成されており、表面１１ａ側から見ると窪みであるが、裏面１１ｂ側から見ると突起状になっている。そして、窪み１２はある長さの円柱の先に半球を付けた形状の穴として形成されている。釣り餌１５は窪み１２の中に、たとえば窪み１２ｃには釣り餌１５ａ，窪み１２ｄには釣り餌１５ｂ，窪み１２ｅには釣り餌１５ｃが入るように、一つの窪み１２に対して一つの釣り餌１５が入れられている。また、窪み１２は密閉性のシート１３によって密閉し、餌の乾燥を防ぐことができる。また、餌の種類によっては、通気性のシートを用いる。
【００８７】
図６は、図４及び図５を用いて説明した本発明の釣り餌収納具を使用するときの状態を示す図であり、図４および図５を用いて説明した釣り餌収納具のシート１３をケース本体１１から剥がしている状態を示す断面図である。図６のように、シート１３をケース本体１１から剥がすことにより、釣り餌１５を一つずつ取り出すことが出来る。
【００８８】
図４〜図６を用いて説明したような釣り餌収納具を用いて釣り餌を収納した場合、釣り餌１５がイクラのような餌の場合は密閉して保存し、ブドウ虫のような生き餌の場合はシートに穴をあけるなどして保存することにより、比較的長期間の釣り餌の保存が容易となる。
【００８９】
釣り餌１５が一つの窪み１２に対して一つずつ入れられているため、釣りの際に、極めて容易に釣り餌を一つずつ個別に取り出すことが出来る。また、たとえば餌がイクラの場合、イクラの粒の大きさによっては複数個のイクラを釣り針につける場合もあり、１つの窪みに１回分の餌として２個あるいは３個のイクラを入れても本発明の効果を発揮することができる。
【００９０】
また、ミシン目１４があるため、シート１３を複数回に分けてケース本体から剥がすことが出来、一つの釣り餌収納具を複数回の釣りに用いることができる。
【００９１】
図７および図８は、図１〜図３または図４〜図６を用いて説明した釣り餌収納具の別の例を説明する図で、図７は図１の矢印Ａの方向と同じ方向すなわち、ケース本体に対して垂直上側からみた平面図、図８は図７の点線Ｘ５−Ｘ６の位置で切った断面図である。
【００９２】
図７および図８において、符号２０は本発明の釣り餌収納具、符号２１は釣り餌収納具２０を構成するケース本体としての平板状の基板、２２〜２７は釣り餌を収納するための窪みである。
【００９３】
図７で、釣り餌収納具２０において、平板状の基板２１に窪み２２〜２７が形成されている。また、窪み２２〜２７を垂直上方向から見た場合、すなわち、窪み２２〜２７の開口部（入り口部分）の形状はそれぞれ異なっており、複数の種類がある。窪み２２および窪み２３は円形、窪み２４は正方形、窪み２５は頂点が丸みを帯びている長穴形状、窪み２６は正八角形、窪み２７は頂点が丸みを帯びている正八角形である。
【００９４】
図８で、窪み２２〜２７はそれぞれ異なる断面形状をしており、窪み２２は円柱形、窪み２３は円柱の先に半球を付けた形、窪み２４は四角柱に四角錐をつけた形、窪み２５は楕円半球を回転させた形、窪み２６は方錐形、窪み２７は半球形にそれぞれ窪んで形成されている。
【００９５】
図７および図８を用いて説明したように、窪みの形状をその釣り餌によって変化させて形成することによって、様々な釣り餌を非常に効果的に収納することが出来る。
【００９６】
また、図７および図８において、窪みの形はこれに限定されることなく、たとえば、入り口の形状が三角形や楕円形でもよく、図８に示すような窪みの底部を含む断面も、三角形や四角形、円形、楕円形、または五角形以上の多角形などをそれぞれ組み合わせた形に形成することが可能である。
【００９７】
図９〜図１２は、本発明の実施の形態例としての釣り餌収納具の好適な例を説明する図で、図９は斜視図、図１０は図９の釣り餌収納具の蓋を取り外した状態を示す図で、図９の上方向からみた平面図、図１１は図９の釣り餌収納具を蓋を閉じた状態を示す図で、図１０の点線Ｘ７−Ｘ８の位置で切った断面図である。
【００９８】
図９〜図１２において、符号３０は本発明の釣り餌収納具、３１は釣り餌収納具３０を構成するケース本体、３２は釣り餌収納具３０を構成するケース本体３１に係合するように形成された蓋、３１ａはケース本体３１に設けられた蓋３２との係合部、３１ｂはケース本体３１の裏面、３２ａは蓋３２に設けられたケース本体３１との係合部、３３ａ、３３ｂ，３３ｃはケース本体３１に設けられた半球状の窪みで、３３ａ，３３ｂ，３３ｃのそれぞれを、またはそれらを総称して窪み３３と称することもある。符号３４ａ，３４ｂ，３４ｃは窪み３３に設けられた溝で、隣り合った２つの窪み３３をつなぐように設けられており、３４ａ，３４ｂ，３４ｃのそれぞれを、またはそれらを総称して溝３４と称することもある。
【００９９】
溝３４は餌をつける釣り針の先端部から所定の範囲の針軸がこの溝を通過することができ、該釣り針の先端部を該窪みに収納されている餌に容易に刺すことができるような幅と深さに、窪み３３の開口部の周囲に設けられており、たとえば、後述の横溝や縦溝や斜め方向に設けられた溝のいずれかあるいは双方を備えている場合がある。
【０１００】
符号３５ａ，３５ｂは、溝３４の一例としての、窪み３３ａおよび窪み３３ｂの中心を通る溝としての横方向に形成された横溝で、他の窪みにも同様に中心を通る横溝が設けられており、それらのそれぞれを、またはそれらを総称して横溝３５と称することもある。符号３６ａ，３６ｂは、溝３４の一例としての、窪み３３ａおよび窪み３３ｃの中心を通る溝としての縦方向に掘られた縦溝であり、他の窪みにも同様に中心を通る縦溝が設けられており、それらのそれぞれを、またはそれら総称して縦溝３６と称することもある。符号３７は蓋３２とケース本体３１を連結するための蝶番、３７ａは蝶番３７の回転中心を示す仮想の軸である。
【０１０１】
図９で、釣り餌収納具３０は、窪み３３および溝３４が設けられたケース本体３１と、ケース本体３１に取り付けられ、開閉が可能にケース本体３１に契合するように形成された蓋３２によって構成されている。
【０１０２】
図１０および図１１で、窪み３３はたとえば５行６列であるような行列状に配置されており、横溝３５および縦溝３６は各窪みの中心を通るように構成されている。
【０１０３】
しかし、本発明の前記溝はこれに限定されず、種々のバリエーションが可能である。餌の種類と使用目的によって窪みと溝の形態を変えると効果が大きくなり、たとえば、餌がブドウ虫など生き餌のときは溝３４は各窪みの間で一端途切れて各窪み３３が独立になるように形成したものを用いることができ、餌がイクラのときは各窪みを連結するように形成したものを用いることができる。また、蓋３２は開閉が可能なように蝶番３７によってケース本体３１と連結されており、係合部３１ａおよび係合部３２ａによってロックをかけることが出来る。
【０１０４】
また、図９のような蓋３２の代わりに図４〜図６を用いて説明したシ−トを用いても良く、さらに、シートと蓋３２を両方用いることもできる。本発明はいずれの場合にも大きな効果を奏するものである。
【０１０５】
図１２は、図１１を用いて説明した釣り餌収納具の蓋を開けた状態を示す断面図で、図１２のように、帳番３７の中心を通る仮想の軸３７ａを回転軸にして帳番３７がまわり、蓋３２を容易に開閉することが出来る。
【０１０６】
図９〜図１２を用いて説明したような釣り餌収納具を用いて釣り餌を収納する場合、各１つの窪み３３に各１つの釣り餌を収納して、蓋３２を閉じる。
【０１０７】
このように釣り餌を収納した場合、イクラ等の釣り餌が個別に収納されているため、釣りを行う場合に、イクラを釣り針につけるために、従来のように多数個の固まりとして容器に入れられているイクラの中から１粒だけ取り出す苦労が不要で、また、イクラを指でつまみつぶすこともなく、イクラを指でつままなくても釣り餌収納具に入った状態でイクラを釣り針の先に容易に取り付けることができる。特に、溝３４が設けられていることにより、餌を釣り針に取り付ける難しい作業が大幅に改善され、各窪みの間に設けられた溝３４が、釣り針のガイドの役割をし、釣り餌を直接手で触ることなく、非常に簡単にかつ手早く釣り針に釣り餌を取り付けることが可能となる。このため、釣り餌をより良好な状態でかつ使い勝手良く使用することが出来る。また、蓋３２によって、釣り餌を密閉出来るので、釣り餌を長期間保存することが可能となる。
【０１０８】
図１３〜図１５は、図９〜図１２を用いて説明した釣り餌収納具の窪み３３および溝３４を説明するための拡大図であり、図１３は窪み３３を拡大して斜めから見た透視図、図１４及び図１５は窪み３３および溝３４の深さについて説明するための模式図としての断面図、図１４は窪みの底と溝の底が同じ位置にある場合の図で図１３のＸ１１−Ｘ１２の位置の断面図、図１５は図１３の例とは異なり縦溝と横溝全体が窪みの底部よりも溝の底部が深い状態に形成されている場合の図である。
【０１０９】
図１３〜図１５において、符号４１は横溝３５の窪み３３の横溝内部部分、４２は縦溝３６の窪み３３の縦溝内部部分、４３は窪み３３の最深部、３５ａ１，３５ｂ１，３６ａ１，３６ｂ１は溝の底面、ｄ１は溝３４の深さと窪み３３の深さの差、ｄ２は溝の底とケース本体裏面の間の残り厚、ｄ３はくぼみの深さ、ｄ４は溝の深さを説明する符号、Ｐ１とＰ２は窪み３３の開口部の代表点、Ｐ３とＰ４は溝３６の開口部の代表点である。
【０１１０】
図１３で、横溝３５は横溝３５ａ、横溝３５ｂおよび横溝内部部分４１によって構成されており、縦溝３６は縦溝３６ａ、縦溝３６ｂおよび縦溝内部部分４２によって構成されている。
【０１１１】
図１３に示したように構成した窪みと溝を形成すると、溝３４がガイドの役割をするため、釣り餌を釣り針に容易にそして確実に取りつけることができる。そして、図１４のように、溝３４は窪み３３の最深部と同じ深さに形成されている。
【０１１２】
図１５で、窪みと溝の測定方法を説明する。窪み３３の深さｄ３は、代表点Ｐ１とＰ２を結んだ直線から窪み３３の最新部におろした垂線の長さに一致し、溝３６の深さｄ４は、代表点Ｐ３とＰ４を結んだ直線から溝３６の最新部におろした垂線の長さに一致する。
【０１１３】
図１５に示した例の場合は、溝３５と溝３６はは窪み３３の最深部よりもｄ１だけ深く形成されている。図１５に示したような深さの溝を形成した場合、溝が釣り針を餌に誘導するガイドとしての役割を果たし釣り餌を釣り針に付けやすくすることが出来るうえに、ｄ１を適切な値に設定することによって、釣り餌の保存状況を極めて良くすることができる。
【０１１４】
すなわち、図１５において、ｄ１を１ｍｍ程度にした釣り餌収納具にイクラを収納した場合、卵油の豊富なイクラからの卵油が溝３５，３６に流れ出してたまる。そして、溝を図１３、図１４のように各窪み毎に独立に形成した溝とは異なり、図１５の断面のように窪みの深さよりもｄ１だけ深く形成し、しかも溝の底部が深いままで隣の窪みまでつながっている溝として形成し、たとえば、いくつかの窪みが深く形成した溝で接続されている場合、前記のような卵油の豊富なイクラから流れ出した卵油はこの深い溝を伝わって、各窪みに行き渡り、卵油の少ないイクラのところにまわった卵油がイクラに吸収される。その結果、卵油の少ないイクラも卵油が補われることになり、良好な状態でイクラを収納することが出来、かつ、イクラを釣り針に容易に付けることが出来る。
【０１１５】
また、ケース本体の材料によっては、ミシン目などからケース本体の一部を切り離しやすくするため、残り厚ｄ２を部分的に薄くすることができる。
【０１１６】
図１６および図１７は、本発明の実施の形態例としての釣り餌収納具の好適な例を説明する図で、図１６は本発明の釣り餌収納具を説明するための平面図、図１７は図１６の釣り餌収納具の蓋を閉じた状態を示す図で、図１６の点線Ｘ９−Ｘ１０の位置で切った断面図である。
【０１１７】
図１６および図１７において、符号５０は本発明の釣り餌収納具、５１は釣り餌収納具５０を構成するケース本体、５２は釣り餌収納具５０を構成する蓋、５３，５３ａ，５３ｂ，５３ｃ，５３ｄはケース本体５１に設けられた窪み、５４ａ，５４ｂ，５４ｃ，５４ｄ，５４ｅ，５４ｆ，５４ｇ，５４ｈは窪み５３の回りに設けられた溝であり、窪み５３ａ，５３ｂ，５３ｃ，５３ｄのそれぞれを、またはそれらを総称して窪み５３とも称し、溝５４ａ，５４ｂ，５４ｃ，５４ｄ，５４ｅ，５４ｆ，５４ｇ，５４ｈのそれぞれを、またはそれらを総称して溝５４とも称する。符号５５はケース本体５１と蓋５２を連結させている連結部、５６（５４ｃ）、５６（５４ｇ）、５７〜５９はそれぞれ５３ａ，５３ｂ，５３ｃ，５３ｄの回りに設けられた溝である。溝５６（５４ｃ）、５６（５４ｇ）はそれぞれ５４ｃ、５４ｇと同じ溝を示すしている。
【０１１８】
図１６で、窪み５３はたとえば４行４列の行列状に配置されており、溝５４は窪み５３の周囲に、ケース本体５１の外周と平行な方向を含む互いに等間隔な放射状の８方向に設けられている。また、溝５４の一つ一つは一つの窪み５３のみに接しており、２つ以上の窪みには接していない。そのため、各窪み５３は独立して形成されている。
【０１１９】
図１７で、蓋５２は連結部５５によってケース本体５１と連結されており、開閉可能な構造となっている。窪み５３は円柱の先に半球を付けたような形状をしており、図１６の他の溝５３も同様の形状をしている。また、溝５６は断面が三角形の頂点をまるめたような形状に形成されており、溝５７はＶ字形の溝の底部に平坦部を有する断面が台形となるような形状に形成されており、溝５８は断面が半円状、溝５９は断面が半円の一部を欠いた形状すなわち底部に平坦部を有する形状に形成されている。
【０１２０】
図１６および図１７を用いて説明したような釣り餌収納具に釣り餌を収納する場合、各１つの窪み５３に各１つの釣り餌を収納して、蓋５２を閉じる。
【０１２１】
このように釣り餌を収納した場合、イクラ等の釣り餌が個別に収納されているため、釣りを行う場合に、イクラを釣り針につけるときに、従来のように多数個の固まりとして容器に入れられているイクラの中から１粒だけ取り出す苦労が不要で、また、イクラを指でつまみつぶすこともなく、イクラを指でつままなくても釣り餌収納具に入った状態でイクラを釣り針の先に容易に取り付けることができる。特に、溝５４が設けられていることにより、餌を釣り針に取り付ける難しい作業が大幅に改善される。すなわち、溝５４に釣り針の先の方から釣り針を入れて餌の方向に釣り針を進ませると、溝５４が餌を釣り針に取り付けるときに釣り針のガイドの役割をし、釣り餌を直接手で触ることなく、非常に簡単にかつ手早く釣り針に釣り餌を取り付けることが可能となる。このとき、窪み５３の内壁がそこに収納されている餌の固定役をする。このような釣り餌収納具を用いることにより、釣り餌をより良好な状態で使用することが出来る。また、各窪み５３は溝５４も含めた状態で独立しているので、密閉が容易になり、蓋５２によって釣り餌を密閉出来るので、釣り餌を長期間保存することが可能となる。
【０１２２】
図１８及び図１９は、釣り餌を収納する窪みを形成したケース本体が円筒形の場合の例で、図１８は蓋を一部開けた状態の斜視図、図１９は図１８の紙面に沿って切った状態の断面図である。
【０１２３】
図１８及び図１９で、符号８１は釣り餌収納具、８２はケース本体としての基板、８３，８３ａ，８３ｂは窪み、８５ａ〜８５ｃ、８５は各窪みに設けられた溝、８７はケース本体のつまみ部、８８は窪み８３に収納された餌として用いるイクラ、８６は蓋、８９は蓋８６に設けられた窓、９０および９１は蓋をケース本体に対して開閉する方向を説明するための矢印、９２は蓋を回転するときの回転中心を説明する仮想の軸である。
【０１２４】
図１８及び図１９に示すように、餌としてのイクラ８８を各窪み８３に１個ずつ収納した釣り餌収納具８１を釣りに携行し、釣り針に餌を取り付ける場合、たとえば、最初につまみ８７に最も近い横一列に収納されているイクラの１つに窓８９を位置させ、窪みの周囲の溝８５に釣り針（図示せず）を針先から入れ、針先をイクラの方に移動させることによりイクラに針を刺し、餌として使用する。その次に餌を針に取り付ける場合、蓋８６を仮想の回転中心軸９２のまわりに、矢印９０の方向のいずれかの方向へ回転させると、窓８９は最初に使ったイクラの隣のイクラのところに位置するので、前回と同様にイクラを釣り針に刺すことができる。以下同様にして横１列分のイクラを順次使用する。１列分のイクラを使用し終わったら、蓋８６を矢印９１の方へ引き上げ、２列目のイクラを順次釣り針へ取り付けて使用する。このようにすることにより、イクラを手早く釣り針に取り付けることができる。さらに、イクラを不必要に空気に晒すことなく、良好な状態に保って使用することができるとともに、使用する位置以外のイクラは蓋８６に保護されているので釣り餌収納具８１を傾けても落下することがない。
【０１２５】
以上、本発明の実施の形態例を図面を参照して説明してきたが、本発明は、これに狭く限定されるものではなく、種々のバリエーションが可能なものである。
【０１２６】
【発明の効果】
本発明の釣り餌収納具は、釣り餌を個別に収納可能にしたうえ、必要数だけ確実にそして容易に取り出すことが出来、カバーを密閉した状態であれば、釣り餌収納具をあやまって川の中におとしても、釣り餌が死滅したり、使用不可能になることはない。
【０１２７】
そして、本発明の釣り餌収納具を釣りに使用することにより、従来の餌箱のように必要数を選別する煩わしさを回避することが出来るばかりでなく、釣り餌に直接触れずに釣り餌を釣り針に刺すことができるため、釣り餌の不快な臭い、油、粘膜を指に付着させることを大幅に低減し、速やかに釣り針に餌が装着でき大変便利であるばかりではなく、快適な釣行が出来る。
【図面の簡単な説明】
【図１】本発明の実施の形態例としての釣り餌収納具の斜視図である。
【図２】図１の釣り餌収納具を図１の矢印Ａの方向から見た平面図である。
【図３】図２の釣り餌収納具を図２の点線Ｘ１−Ｘ２の位置で切った断面図である。
【図４】本発明の実施の形態例としての図１の釣り餌収納具にシートをつけた例を説明する図で、図１のＡと同じ方向から見た図である。
【図５】図４の本発明の実施の形態例としての釣り餌収納具を、図４の点線Ｘ３−Ｘ４の位置で切った断面図である。
【図６】図４及び図５を用いて説明した本発明の釣り餌収納具を使用するときの状態を示す図である。
【図７】本発明の釣り餌収納具の実施の形態例を説明する平面図である。
【図８】本発明の釣り餌収納具の実施の形態例を説明する図で、図７の点線Ｘ５−Ｘ６の位置で切った断面図ある。
【図９】本発明の実施の形態例としての釣り餌収納具の斜視図である。
【図１０】図９の釣り餌収納具の蓋を取り外した状態で図９の上方向からみた平面図である。
【図１１】図９の釣り餌収納具の蓋を閉じた状態を示す図で、図１０の点線Ｘ７−Ｘ８の位置で切った断面図ある。
【図１２】図１１の釣り餌収納具の蓋を開けた状態を示す断面図である。
【図１３】図９〜図１２の本発明の釣り餌収納具の窪みと溝を拡大して斜めから見た透視図である。
【図１４】図９〜図１２の本発明の釣り餌収納具の窪みと溝の深さについて説明する断面図である。
【図１５】図９〜図１２の本発明の釣り餌収納具の窪みと溝の深さについて説明する断面図である。
【図１６】本発明の実施の形態例としての釣り餌収納具の平面図である。
【図１７】本発明の実施の形態例としての釣り餌収納具の、図１６の点線Ｘ９−Ｘ１０の位置で切った断面図である。
【図１８】本発明の実施の形態例としての釣り餌収納具の斜視図である。
【図１９】図１８の釣り餌収納具の断面図である。
【図２０】従来のイクラの収納具を説明するための斜視図である。
【図２１】従来のブドウ虫を収容するための収納具を説明する斜視図である。
【図２２】図２１のブドウ虫の巣穴を拡大した図である。
【符号の説明】
１，１０，２０，３０，５０，８１：釣り餌収納具
２，１１，２１，８２：ケース本体としての基板
２ａ，１１ａ：表面
２ｂ，１１ｂ，３１ｂ：裏面
３，３ａ，３ｂ，３ｃ，３ｄ，３ｅ，３ｆ，３ｇ，３ｈ，３ｉ，３ｊ，１２，１２ａ，１２ｂ，１２ｃ，１２ｄ，１２ｅ，２２〜２７，３３，３３ａ，３３ｂ，３３ｃ，５３，５３ａ，５３ｂ，５３ｃ，５３ｄ，８３，８３ａ，８３ｂ：窪み
１３：シート
１４，１４ａ，１４ｂ，１４ｃミシン目
１５，１５ａ，１５ｂ，１５ｃ：釣り餌
３１，５１：ケース本体
３１ａ，３２ａ：係合部
３１ｂ：ケース本体の裏面
３２，５２，８６：蓋
３４，３４ａ，３４ｂ，３４ｃ，５４，５４ａ，５４ｂ，５４ｃ，５４ｄ，５４ｅ，５４ｆ，５４ｇ，５４ｈ，５６，５７〜５９，８５，８５ａ〜８５ｃ：溝
３５，３５ａ，３５ｂ：横溝
３５ａ１，３５ｂ１，３６ａ１，３６ｂ１：溝の底面
３６，３６ａ，３６ｂ：縦溝
３７：蝶番
３７ａ，９２：回転の中心を説明するための仮想の軸
４１：横溝内部部分
４２：縦溝内部部分
４３：最深部
ｄ１：深さ
５５：連結部
８７：つまみ部
８９：窓
９０，９１，Ａ，Ａ１：矢印
１００，１１１：容器
１０１，８８：イクラ
１１０：収納具
１１２：蓋部
１１３：ブリッジ
１１４：通気孔
１１６，１１６ａ，１１６ｂ，１１６ｃ，１１６ｄ：巣穴
１１７：巣枠体
１１５スペーサー
１１８：底面
１１９：段差
１２１，１２６：屈曲材
１２２，１２３，１２７：被覆材
１３０：空間
ｄ１〜ｄ４：寸法を説明するための符号
Ｐ１〜Ｐ４：位置を示す符号
Ｘ１〜Ｘ１２：図の位置を説明するための符号
【図１】
2004305018.tif 000003
【図２】
2004305018.tif 000004
【図３】
2004305018.tif 000005
【図４】
2004305018.tif 000006
【図５】
2004305018.tif 000007
【図６】
2004305018.tif 000008
【図７】
2004305018.tif 000009
【図８】
2004305018.tif 000010
【図９】
2004305018.tif 000011
【図１０】
2004305018.tif 000012
【図１１】
2004305018.tif 000013
【図１２】
2004305018.tif 000014
【図１３】
2004305018.tif 000015
【図１４】
2004305018.tif 000016
【図１５】
2004305018.tif 000017
【図１６】
2004305018.tif 000018
【図１７】
2004305018.tif 000019
【図１８】
2004305018.tif 000020
【図１９】
2004305018.tif 000021
【図２０】
2004305018.tif 000022
【図２１】
2004305018.tif 000023
【図２２】
2004305018.tif 000024